(57)【要約】【課題】  光ファイバー線、張力保護線を誤切断せずに張力保護線部分の外被を剥ぎ取ることができる光ケーブル用張力保護線剥取工具を提供する。【解決手段】  回動軸９の周りに相対回動自在なアーム部材７、８を構成し、アーム部材７は、分離溝２２及び露出分離溝２３に沿って分離した張力保護線部分２５、２６をガイドする挿通穴５をアーム部材８側に形成して光ファイバー線２０を逃がすための挿通部１をその先端側に有し、張力保護線部分２５、２６の長手方向の位置を規制するために挿通部１から所定の間隔を空けて回動軸９側に配置したストッパー２をアーム部材７に設け、挿通穴５に挿通されてストッパー２で位置決めされた張力保護線部分２５、２６の外被を、張力保護線１８、１９の直径に相当する隙間Ｄを空けて対向するように位置決めされて挿通穴５の出口側で輪切りにする一対の切刃３、４を両アーム部材７、８にそれぞれ設けた。【選択図】  図２
2006251259.tif 000002
【特許請求の範囲】
【請求項１】
光ファイバー線と光ファイバー線の両側に設けた一対の張力保護線と一方の張力保護線の光ファイバー線と反対側に設けた支持線とが互いに平行な状態で外被で被覆され、支持線部分と一方の張力保護線部分とを分離するための分離溝と、光ファイバー線を露出させて両張力保護線部分を分離するために光ファイバー線の上下側に形成した露出分離溝とを有する光ケーブルに用いる光ケーブル用張力保護線剥取工具であって、
回動軸の周りに相対回動自在なペンチ状に一対のアーム部材を構成し、この一対のアーム部材の一方は、分離溝及び露出分離溝に沿って分離した張力保護線部分をガイドする挿通穴を他方のアーム部材側に形成して光ファイバー線を逃がすための挿通部をその先端側に有し、張力保護線部分の長手方向の位置を規制するために挿通部から所定の間隔を空けて回動軸側に配置したストッパーをアーム部材の一方に設け、挿通穴に挿通されてストッパーで位置決めされた張力保護線部分の外被を、張力保護線の直径に相当する隙間を空けて対向するように位置決めされて挿通穴の出口側で輪切りにする一対の切刃を両アーム部材にそれぞれ設けたことを特徴とする光ケーブル用張力保護線剥取工具。
【請求項２】
他方のアーム部材の側部に設けられ、光ケーブルをその幅方向の位置を規制して載置するガイド部と、一方のアーム部材の側部にガイド部に対して接離可能に支持され、かつガイド部上の光ケーブルの分離溝に喰い込む切り裂き刃を有するケーブル分離用部材とをさらに備える請求項１記載の光ケーブル用張力保護線剥取工具。
【請求項３】
挿通部は、露出した光ファイバー線を逃がすためのテーパ状外周側面を形成した円錐台形状を有する請求項１又は２記載の光ケーブル用張力保護線剥取工具。
【請求項４】
ストッパーは、他方のアーム部材に当接して両切刃を張力保護線の直径に相当する隙間を空けて対向するように位置決めする切刃位置決め面を有する請求項１乃至３の何れかに記載の光ケーブル用張力保護線剥取工具。
【発明の詳細な説明】
【技術分野】
【０００１】
本発明は、光ファイバー線と一対の張力保護線と支持線とが互いに平行な状態で外被で被覆された光ケーブルに用いる張力保護線剥取工具に関する。
【背景技術】
【０００２】
高速インターネット需要の増大により、高速・大容量伝送が可能な架空光ケーブルが急速に普及している。このような光ケーブルは例えば、複数本の光ファイバー線と光ファイバー線の両側に設けた一対の張力保護線（テンションメンバ）と一方の張力保護線の光ファイバー線と反対側に設けた支持線とが互いに平行な状態で外被で被覆され、支持線部分と一方の張力保護線部分とを分離するための分離溝と、複数本の光ファイバー線を露出させて両張力保護線部分を分離するために光ファイバー線の上下側に形成した露出分離溝とを有して構成される。
【０００３】
このように構成された光ケーブルの端末処理を行うためには、ニッパ等の工具を使用して先端から数十ｍｍ程度分離溝に沿って外被を切断して支持線部分を分離し、光ファイバー線の上下側の露出分離溝に沿って外被を引き裂いて複数本の光ファイバー線を露出させるとともに、両張力保護線部分を分離し、ニッパ等の工具を使用して張力保護線部分の外被を先端から１０ｍｍ程度剥ぎ取って張力保護線を露出させるという作業が必要になる。
【発明の開示】
【発明が解決しようとする課題】
【０００４】
しかしながら、このような張力保護線部分の外被を剥ぎ取る作業はニッパ等を使用した手作業なので、張力保護線部分に隣接して露出した光ファイバー線を誤切断するおそれがあるという問題がある。
【０００５】
また、ニッパ等による手作業なので、外被のみならず露出させるべき張力保護線自体を誤切断するおそれがあるという問題がある。
【０００６】
本発明の目的は、上記従来例の問題点を解決し得る光ケーブル用支持線剥取器を提供することにある。
【課題を解決するための手段】
【０００７】
本発明に係る光ケーブル用張力保護線剥取工具は、光ファイバー線と光ファイバー線の両側に設けた一対の張力保護線と一方の張力保護線の光ファイバー線と反対側に設けた支持線とが互いに平行な状態で外被で被覆され、支持線部分と一方の張力保護線部分とを分離するための分離溝と、光ファイバー線を露出させて両張力保護線部分を分離するために光ファイバー線の上下側に形成した露出分離溝とを有する光ケーブルに用いる光ケーブル用張力保護線剥取工具であって、回動軸の周りに相対回動自在なペンチ状に一対のアーム部材を構成し、この一対のアーム部材の一方は、分離溝及び露出分離溝に沿って分離した張力保護線部分をガイドする挿通穴を他方のアーム部材側に形成して光ファイバー線を逃がすための挿通部をその先端側に有し、張力保護線部分の長手方向の位置を規制するために挿通部から所定の間隔を空けて回動軸側に配置したストッパーをアーム部材の一方に設け、挿通穴に挿通されてストッパーで位置決めされた張力保護線部分の外被を、張力保護線の直径に相当する隙間を空けて対向するように位置決めされて挿通穴の出口側で輪切りにする一対の切刃を両アーム部材にそれぞれ設けたことを特徴とする。
【０００８】
この構成によれば、張力保護線部分を挿通穴に挿通して、挿通部により光ファイバー線を逃がし、ストッパーで張力保護線部分を長手方向に位置決めし、張力保護線部分の外被が、張力保護線の直径に相当する隙間を空けて対向するように位置決めされた一対の切刃により輪切りにされる。そして、張力保護線剥取工具を張力保護線部分の周りに捻りながら張力保護線部分を引き抜くと、張力保護線部分の外被を確実に先端から所定の長さ分だけ剥ぎ取ることができる。このように挿通部により光ファイバー線を逃がすので、光ファイバー線を誤切断するおそれがない。また、一対の切刃は張力保護線の直径に相当する隙間を空けて対向するように位置決めされて張力保護線部分の外被を輪切りにするので、張力保護線を誤切断するおそれもない。
【０００９】
他方のアーム部材の側部に設けられ、光ケーブルをその幅方向の位置を規制して載置するガイド部と、一方のアーム部材の側部にガイド部に対して接離可能に支持され、かつガイド部上の光ケーブルの分離溝に喰い込む切り裂き刃を有するケーブル分離用部材とをさらに備えることが好ましい。ガイド部上の光ケーブルの分離溝に切り裂き刃を喰い込ませた状態で光ケーブルを引き抜くことにより分離溝を切り裂いて、支持線部分と一方の張力保護線部分とを容易に分離することができる。
【００１０】
挿通部は、露出した光ファイバー線を逃がすためのテーパ状外周側面を形成した円錐台形状を有することが好ましい。簡単な構成で光ファイバー線を逃がすことができる。
【００１１】
ストッパーは、他方のアーム部材に当接して両切刃を張力保護線の直径に相当する隙間を空けて対向するように位置決めする切刃位置決め面を有することが好ましい。簡単な構成で両切刃を張力保護線の直径に相当する隙間を空けて対向するように位置決めできる。
【発明の効果】
【００１２】
本発明によれば、光ファイバー線及び張力保護線を誤切断することなく張力保護線部分の外被を剥ぎ取ることができる光ケーブル用張力保護線剥取工具を提供することができる。
【発明を実施するための最良の形態】
【００１３】
図１（ａ）は本実施の形態に係る張力保護線剥取工具が用いられる光ケーブル１６の斜視図であり、図１（ｂ）は分離された光ケーブル１６の斜視図である。光ケーブル１６は、複数本の光ファイバー線２０と光ファイバー線２０の両側に設けた一対の張力保護線１８及び１９と張力保護線１８の光ファイバー線２０と反対側に設けた支持線１７とが互いに平行な状態で外被で被覆されて構成される。円柱状の支持線部分２４と略角柱状の張力保護線部分２５とを分離するための分離溝２２が外被に形成される。また、複数本の光ファイバー線２０を露出させて略角柱状の両張力保護線部分２５及び２６を分離するための露出分離溝２３が光ファイバー線２０の上下側の外被に形成される。
【００１４】
図２は本実施の形態に係る開状態の張力保護線剥取工具１００の正面図である。図３はその要部斜視図であり、図４は閉状態の張力保護線剥取工具１００の要部斜視図である。
【００１５】
張力保護線剥取工具１００は、回動軸９の周りに相対回動自在なペンチ状に構成した一対の板状のアーム部材７及び８を備える。アーム部材７の先端には、挿通部１がアーム部材７と一体に設けられる。挿通部１は、円錐台形状を有し、テーパ状外周側面６が形成される。挿通部１には、分離溝２２及び露出分離溝２３に沿って分離した張力保護線部分２５又は２６（図１（ｂ））を挿通してガイドする挿通穴５が、アーム部材８側に形成される。テーパ状外周側面６は、露出した複数本の光ファイバー線２０を逃がす。
【００１６】
アーム部材７は、ストッパー２を有する。ストッパー２は、挿通部１から約１０ｍｍの間隔を空けて回動軸９側に配置されて、挿通穴５に挿通された張力保護線部分２５又は２６の長手方向の位置を規制する。両アーム部材７及び８には、一対の切刃３及び４が設けられる。一対の切刃３及び４は、張力保護線１８又は１９の直径に相当する隙間を空けて対向するように挿通穴５の出口側で位置決めされて、挿通穴５に挿通されてストッパー２で位置決めされた張力保護線部分２５又は２６の外被を輪切りにする。
【００１７】
ストッパー２は、切刃位置決め面１５を有する。切刃位置決め面１５は、アーム部材８の当接面３０に当接して両切刃３及び４を張力保護線２５及び２６の直径に相当する隙間を空けて対向するように位置決めする。
【００１８】
図１（ａ）に示す分離前の光ケーブル１６をその幅方向の位置を規制して載置する折り曲げ板形状のガイド部１２が、アーム部材８の先端側の側部１１に螺着される。ガイド部１２は、側部１１に螺着される取付部３１と、取付部３１から約９０度折り曲げられて光ケーブル１６を載置する載置部３２と、載置部３２から約９０度折り曲げられて光ケーブル１６の幅方向の位置を規制する位置規制部３３とを有する。アーム部材７の先端側の側部１０にはケーブル分離用部材１３が螺着される。このケーブル分離用部材１３には、ガイド部１２の載置部３２に対して接離可能に支持され、かつ載置部３２上の光ケーブル１６の分離溝２２に喰い込む切り裂き刃１４が螺着される。
【００１９】
アーム部材７及び８には、張力保護線剥取工具１００を把持するための把持カバー２７及び２８が設けられる。一対の切刃３及び４を開状態にする方向に両アーム部材７及び８を付勢するバネ２９が把持カバー２７及び２８の回動軸９側に設けられる。
【００２０】
このように構成された張力保護線剥取工具１００の動作を説明する。図５は閉状態の張力保護線剥取工具１００の要部一部断面図であり、図６はその側面断面図である。
【００２１】
まず、張力保護線剥取工具１００を開状態にして、図１（ａ）に示す分離前の光ケーブル１６を幅方向の位置をガイド部１２の位置規制部３３で規制して載置部３２に載置する。そして把持カバー２７及び２８を握って張力保護線剥取工具１００を閉状態にすると、図５及び図６に示すように、切り裂き刃１４が載置部３２上の光ケーブル１６の分離溝２２に喰い込む。この状態で光ケーブル１６を矢印Ａ（図５）の方向に引っ張ると、切り裂き刃１４により分離溝２２が引き裂かれて支持線部分２４を分離することができる。
【００２２】
図７（ａ）、図７（ｂ）、図８（ａ）及び図８（ｂ）は、張力保護線剥取工具１００の動作を説明するための模式側面図、及びその模式正面図である。図９は、張力保護線剥取工具１００の動作を説明するための模式正面図である。
【００２３】
支持線部分２４を分離した後、露出分離溝２３に沿って所定の工具（図示せず）で外被を切り裂くことにより、複数本の光ファイバー線２０を露出させて両張力保護線部分２５及び２６を分離する。次に図７（ａ）及び図７（ｂ）に示すように、張力保護線剥取工具１００を開状態にして、分離した張力保護線部分２５を挿通部１の挿通穴５に挿通して複数本の光ファイバー線２０及び張力保護線部分２６を外周側面６に沿って逃がし、張力保護線部分２５の先端をストッパー２に当接させて張力保護線部分２５の長手方向の位置を規制する。
【００２４】
次に把持カバー２７及び２８を握ってアーム部材７及び８を閉じると、図８（ａ）及び図８（ｂ）に示すように、ストッパー２の切刃位置決め面１５はアーム部材８の当接面３０に当接して、両切刃３及び４を張力保護線１８の直径に相当する隙間Ｄを空けて対向するように位置決めする。そして、切刃３及び４は張力保護線部分２５の外被を輪切りにする。
【００２５】
切刃３及び４は、張力保護線１８の直径に相当する隙間Ｄを空けて対向するように位置決めされるので、張力保護線部分２５の外被のみを輪切りにし、張力保護線１８自体を誤切断することがない。また複数本の光ファイバー線２０を挿通部１の外周側面６に沿って逃がすので、光ファイバー線２０を誤切断することがない。
【００２６】
そして、張力保護線剥取工具１００を捻りながら光ケーブル１６を矢印Ａの方向に挿通部１から引き抜くと、張力保護線部分２５の外被が先端から１０ｍｍ程度剥ぎ取られて張力保護線１８が露出する。剥ぎ取られた外被屑３４は切刃３及び４とストッパー２との間に残り、アーム部材７及び８を開状態にして廃棄する。
【００２７】
なお、図８（ａ）に示すように、切刃３及び４の刃先を直線状に形成して、張力保護線１８の直径に相当する隙間Ｄを両刃先間に設ける例を示したが、本発明はこれに限定されない。張力保護線１８の上半分及び下半分に相当する半円状の切り欠きを切刃３及び４の刃先にそれぞれ形成して張力保護線１８の直径に相当する隙間をこの切り欠きにより形成してもよい。
【産業上の利用可能性】
【００２８】
本発明は、光ファイバー線と一対の張力保護線と支持線とが互いに平行な状態で外被で被覆された光ケーブルに用いる光ケーブル用張力保護線剥取工具に適用することができる。
【図面の簡単な説明】
【００２９】
【図１】（ａ）は本実施の形態に係る張力保護線剥取工具が用いられる光ケーブルの斜視図であり、（ｂ）は本実施の形態に係る分離された光ケーブルの斜視図である。
【図２】本実施の形態に係る開状態の張力保護線剥取工具の正面図である。
【図３】本実施の形態に係る開状態の張力保護線剥取工具の要部斜視図である。
【図４】本実施の形態に係る閉状態の張力保護線剥取工具の要部斜視図である。
【図５】本実施の形態に係る閉状態の張力保護線剥取工具の要部一部断面図である。
【図６】本実施の形態に係る閉状態の張力保護線剥取工具の側面断面図である。
【図７】（ａ）は本実施の形態に係る張力保護線剥取工具の動作を説明するための模式側面図であり、（ｂ）はその模式正面図である。
【図８】（ａ）は本実施の形態に係る張力保護線剥取工具の動作を説明するための模式側面図であり、（ｂ）はその模式正面図である。
【図９】本実施の形態に係る張力保護線剥取工具の動作を説明するための模式正面図である。
【符号の説明】
【００３０】
１  挿通部
２  ストッパー
３、４切刃
５  挿通穴
６  外周側面
７、８アーム部材
９  回動軸
１０、１１  側部
１２  ガイド部
１３  ケーブル分離用部材
１４  切り裂き刃
１５  切刃位置決め面
１６  光ケーブル
１７  支持線
１８、１９  張力保護線
２０  光ファイバー線
２１  外被
２２  分離溝
２３  露出分離溝
２４  支持線部分
２５、２６  張力保護線部分
【図１】
2006251259.tif 000003
【図２】
2006251259.tif 000004
【図３】
2006251259.tif 000005
【図４】
2006251259.tif 000006
【図５】
2006251259.tif 000007
【図６】
2006251259.tif 000008
【図７】
2006251259.tif 000009
【図８】
2006251259.tif 000010
【図９】
2006251259.tif 000011